【事件の表示】
　平成４年　特　許　願　第１３６７号「画像表示制御方法及びその装置」拒絶査定に対する審判事件（平成６年１月２１日出願公開、特開平６−１４２６５）について、次のとおり審決する。
【結論】
　本件審判の請求は、成り立たない。
【理由】
１．手続きの経緯・本願発明の要旨
　本願は、平成４年１月８日（パリ条約による優先権主張１９９１年１月８日、大韓民国）の出願であって、その請求項１に係る発明は、平成７年４月１２日付及び平成９年７月２日付の各手続補正書により補正された明細書及び図面の記載からみて、その特許請求の範囲の請求項１に記載された次のとおりのものと認める。
「【請求項１】第１の映像信号に基づく画像を画面上に表示中にさらに第２の映像信号を入力して、前記画面上に前記第１及び第２の映像信号に基づく画像を分割表示するよう制御する画像表示制御装置において、
　装置利用者による第１キーからの指示入力に基づいて、前記画面の水平及び垂直方向の分割位置を所定の位置とするように初期設定を行う初期設定手段と、
　前記画面を水平方向に分割するか、或いは、垂直方向に分割するかを選択する選択指示手段と、
　前記装置利用者による第２キーからの指示入力に基づいて、前記選択指示手段によって選択された分割方向に関し、前記初期設定された分割位置を微小単位で任意の位置に変更する変更手段と、
　前記入力された第１と第２の映像信号を選択的に切り換えながら出力する第１スイッチング手段と、
　前記第１スイッチング手段によって選択出力された映像信号を入力して記録し、前記記録された信号を再生する記録再生手段と、
　前記記録再生手段からの出力信号と前記第１スイッチング手段によって選択出力された映像信号の内、１つを選択して出力する第２スイッチング手段と、
　前記第１スイッチング手段及び第２スイッチング手段各々に入力される映像信号の垂直同期信号を相互に一致させるマッチング手段と、
　前記初期設定手段と前記変更手段によって定められる画面の分割位置と、１画面の１フィールドを形成する水平同期信号の周期或いは垂直同期信号の周期に基づき、分割された画面各々に映像信号を出力するよう前記第１、或いは、前記第２スイッチング手段を制御する出力制御手段とを有し、
　前記出力制御手段は、前記記録再生手段が映像記録を行うときには前記第１スイッチング手段を制御し、前記記録再生手段が映像再生を行うときには前記第２スイッチング手段を制御することを特徴とする画像表示制御装置。」
２．引用例の記載
　これに対して、原査定の拒絶の理由に引用した特開昭６４−３６２７０号公報（以下、引用例という）には、下記の事項が記載されている。
　１台のモニタ装置の画面に２台のビデオカメラからの映像信号により２つの映像を写し出すものにおいて、
「図において、当該ビデオカメラ（例えばカメラナンバーＮｏ１）における映像信号、他のビデオカメラ（例えばカメラナンバーＮｏ２）における映像信号、これら映像信号の外部同期信号から同期分離された水平（ＨＤ）同期信号、垂直（ＶＤ）同期信号、およびブランキング（ＢＬ）信号がコネクタ１を介して入力している。このＨＤ同期信号は第１の画面分離位置決定回路２に入力し、ＶＤ同期信号は第２の画面分離位置決定回路３に入力している。第１の画面分離位置決定回路２には、ＨＤ同期信号を所定レベル等とするバッファ回路２ａとそのＨＤ同期信号に基づいて分離画面の水平位置を決定するモノマルチ回路２ｂ、モノマルチ回路２ｂにて得られた信号を反転するインバータ回路２ｃ等から構成され、第２の画面分離位置決定回路３は上記同様にバッファ回路３ａとモノマルチ回路３ｂ、インバータ回路３ｃ等から構成されている。これら画面分離位置決定回路２、３のモノマルチ回路２ｂ、３ｂはＨＤ、ＶＤ同期信号のタイミングで画面の分離位置に相当する幅のパルス信号を出力する。」（第２頁左上欄第１６行〜右上欄第１６行）
「一方、第１および第２の画面分離位置決定回路２、３からの所定幅のパルス信号およびその反転信号は分離切り換え制御回路５に入力され、画面分割部分の縁取りを制御するスイッチＳＷ３およびＳＷ５に入力されている。このスイッチＳＷ３およびＳＷ５を端子ａ側あるいは端子ｂ側に切り換えることにより、画面分割の水平方向の位置を決定する所定幅のパルス信号およびその反転したパルス信号、画面分割の垂直方向の位置を決定する所定幅のパルス信号およびその反転したパルス信号がそれぞれスイッチＳＷ３およびＳＷ５の共通端子を介して出力される。このスイッチＳＷ３およびＳＷ５にて切り換えられたパルス信号は２ナンド回路５ａおよび２ノア回路５ｂに入力され、２ナンド回路５ａおよび２ノア回路５ｂの出力の何れかがスイッチＳＷ２の切換にて選択される。なお、これらスイッチＳＷ１、ＳＷ３およびＳＷ５の切り換え動作に連動してそれぞれＳＷ２、ＳＷ４およびＳＷ６も切り替わるようになっており、これらスイッチＳＷ２、ＳＷ４、ＳＷ６からはそれぞれ端子ａ側に切り換えられた場合には例えば”Ｌ”レベル、端子ｂ側に切り換えられた場合には例えば”Ｈ”レベル信号が出力される。」（第２頁左下欄第４行〜右下欄第７行）
「また、スイッチＳＷ１、ＳＷ３、ＳＷ５の切り換えにて分離切り換え制御回路５から出力されるパルス信号がアナログスイッチ７、８にも入力され、それらアナログスイッチ７、８のＯＮ、ＯＦＦが制御されるようになっている。これらアナログスイッチ７、８のＯＮ、ＯＦＦにより、増幅回路９にて所定に増幅された当該ビデオカメラ（Ｎｏ１）からの映像信号、増幅回路１０にて所定に増幅された他のビデオカメラ（Ｎｏ２）からの映像信号の何れかが混合回路１１から出力される。すなわち、混合回路１１から出力された映像信号により、モニタ装置にて２つの映像が映し出されることになる。」（第３頁左上欄第１０行〜右上欄第２行）
３．対比・判断
　本願の請求項１の発明（以下、前者という）と上記引用例記載のもの（以下、後者という）を比較すると、両者は、いずれも「第１の映像信号に基づく画像を画面上に表示中にさらに第２の映像信号を入力して、前記画面上に前記第１および第２の映像信号に基づく画像を分割表示するよう制御する画面表示制御装置」である。
　そして、引用例の「第１の画面分離位置決定回路２」の「分離画面の水平位置を決定するモノマルチ回路２ｂ」および「第２の画面分離位置決定回路３」の「モノマルチ回路３ｂ」は、ＨＤ、ＶＤ同期信号のタイミングで画面の分離位置に相当する幅のパルス信号を出力するものであるから、「画面の水平および垂直方向の分割位置を所定の位置とする設定手段」に対応する。
　また、引用例の、スイッチＳＷ１〜ＳＷ６等により構成される「分離切り換え制御回路５」は、本願の「画面を水平方向に分割するか、或いは、垂直方向に分割するかを選択する選択指示手段」、引用例の「アナログスイッチ７、８」は、本願の「入力された第１と第２の映像信号を選択的に切り換えながら出力する第１スイッチング手段」、引用例の「画面分離位置決定回路２、３」と「分離切り換え制御回路５」は、本願の「出力制御手段」に、それぞれ対応しており、
　両者は、「第１の映像信号に基づく画像を画面上に表示中にさらに第２の映像信号を入力して、前記画面上に前記第１及び第２の映像信号に基づく画像を分割表示するよう制御する画像表示制御装置において、
　前記画面の水平及び垂直方向の分割位置を所定の位置とするように設定を行う設定手段と、
　前記画面を水平方向に分割するか、或いは、垂直方向に分割するかを選択する選択指示手段と、
　前記入力された第１と第２の映像信号を選択的に切り換えながら出力する第１スイッチング手段と、
　前記設定手段によって定められる画面の分割位置と、１画面の１フィールドを形成する水平同期信号の周期或いは垂直同期信号の周期に基づき、分割された画面各々に映像信号を出力するよう前記第１スイッチング手段を制御する出力制御手桟とを有する画像表示制御装置。」
である点で一致し、以下の各点で相違している。
［相違点１］：
　前者は、「装置利用者による第１キーからの指示入力に基づいて、前記画面の水平及び垂直方向の分割位置を所定の位置とするように初期設定を行う初期設定手段」および「装置利用者による第２キーからの指示入力に基づいて」、「初期設定された分割位置を微小単位で任意の位置に変更する変更手段」を用いて分割位置を設定しているのに対して、後者は、「モノマルチ回路２ｂ」ならびに「モノマルチ回路３ｂ」が、画面の分離位置に相当する幅のパルス信号を出力することにより分離位置が設定される点。
［相違点２］：
　前者は、「第１スイッチング手段によって選択出力された映像信号を入力して記録し、前記記録された信号を再生する記録再生手段」と、「記録再生手段からの出力信号と前記第１スイッチング手段によって選択出力された映像信号の内、１つを選択して出力する第２スイッチング手段」とを有し、「出力制御手段」は、「前記第１のスイッチング手段、或いは、前記第２スイッチング手段」を制御し、「出力制御手段は、前記記録再生手段が映像記録を行うときには前記第１スイッチング手段を制御し、前記記録再生手段が映像再生を行うときには前記第２スイッチング手段を制御する」のに対して、後者は、第１スイッチング手段によって選択出力された映像信号を記録再生する「記録再生手段」ならびに「第２スイッチング手段」を設け、出力制御手段により「第２スイッチング手段」を制御するものではない点。
［相違点３］：
　前者は、「第１スイッチング手段及び第２スイッチング手段各々に入力される映像信号の垂直同期信号を相互に一致させるマッチング手段」を有するのに対して、後者にはマッチング手段について記載されていない点。
　上記相違点について検討する。
［相違点１について］：
　マイクロコンピュータを用いた制御を行う場合に、装置利用者によるキーからの指示入力に基づいて初期設定を行ったり、初期設定を必要に応じて変更することは、当業者の常套的手法に過ぎない。また、引用例記載のものにおいても「モノマルチ回路２ｂ」と「モノマルチ回路３ｂ」の時定数を変えることにより、画面の分離位置を設定・変更できることは明らかであるから、「装置利用者による第１キーからの指示入力に基づいて、前記画面の水平及び垂直方向の分割位置を所定の位置とするように初期設定を行う初期設定手段」および「装置利用者による第２キーからの指示入力に基づいて」、「初期設定された分割位置を微小単位で任意の位置に変更する変更手段」を用いて分割位置を設定することは、当業者が容易になし得るものと認める。
［相違点２について］：
　複数の映像信号を選択して記録再生を行う記録再生手段は、例えば特開平２−１５０１８４号公報に記載されているように周知である。したがって、そのような記録再生手段を設けるとともに、該記録再生手段からの出力映像信号と他の映像信号の内、１つを出力する第２スイッチング手段を設け、その第２スイッチング手段を出力制御手段により制御するよう構成することは、引用例の記載に基づいて必要に応じて設計的に行い得るものと認める。
［相違点３について］：
　引用例記載のものにおいても、入力され、切り換えられる２つのビデオカメラの映像信号は、外部同期信号により互いに同期しているものと認められ、また、複数の映像信号を切り換えて表示することにより、画面上に分割表示を行うものにおいて、それぞれの同期信号を相互に一致させるための手段を設けることは、例えば特開昭６４−３９１７３号公報に記載されているように、当業者の常套的手法であるから、引用例記載のものにおいて、映像信号の垂直同期信号を相互に一致させるマッチング手段を設けることに格別の困難性は認められない。
４．むすび
　したがって、本願の請求項１の発明は、上記引用例に記載された発明に基づいて当業者が容易に発明をすることができたものであるから、特許法第２９条第２項の規定により特許を受けることができない。
　よって、結論のとおり審決する。